(57)【要約】      （修正有）【課題】ねじ頭部の構造を改良し、もとの機能を保持するだけでなく、改良ねじがそれぞれドライバとなりねじを締めるのに用いられると同時に、ねじ頭部の改良により、空間やサイズの制限を受けず、使用者がすばやく、楽に、確実にねじを利用してさまざまな部材を締結固定できる、ドライバ機能を有するねじを提供する。【解決手段】ねじ頭部１１上にねじ回し溝１３を設け、ねじ回し溝１３は半円形であり、そこに別のねじ頭部１１’を嵌めこんで結合し、両者の嵌合によりねじがドライバの役割を果たして組み立て部材をねじ締結し固定する。ねじ頭部１１の円周上に滑り止め鋸歯部１２を設ける。【選択図】図１
0003190972.tif 000002
【実用新案登録請求の範囲】
【請求項１】
ねじ頭部上にねじ回し溝を設け、前記ねじ回し溝は半円形であり、そこに別のねじ頭部を嵌めこんで結合し、両者の嵌合によりねじがドライバの役割を果たして組み立て部材をねじ締結し固定することを特徴とする、ドライバ機能を有するねじ。
【請求項２】
前記ねじ頭部の円周上に滑り止め鋸歯部を設けることを特徴とする、請求項１に記載のドライバ機能を有するねじ。
【考案の詳細な説明】
【技術分野】
【０００１】
本考案は、金物部品のねじの改良に関するものである。
【背景技術】
【０００２】
現在、ねじの使用範囲は次第に広くなり、金物、機械、家具、家電等は皆ねじでさまざまな組み立て部材を固定する必要があるので、ねじの締結スペースは益々狭くなり、ドライバが使用しにくいものもある。
【０００３】
現在は、ねじを用いて製品の組み立て部材を締結するのにはドライバが必要であり、ドライバの穴が長すぎたり短すぎたり、ドライバビットのサイズが合わないことがあるため、ねじ締結を適切に行うためにさまざまな規格サイズのドライバを準備する必要がある。
しかし、実際のねじのサイズ種類は膨大であり、対応するドライバも数十種類の規格サイズがあり、万全に揃えるのは不可能である。特に、今日多くの製品には少なくとも１つのねじが付属されており、消費者がそれに合ったドライバを探すのは容易でなく、組み立て時に次のような問題が発生する。
【０００４】
１．ドライバが大きすぎるかまたは長すぎるため使用できない。
【０００５】
２．ドライバが小さすぎるかまたは短すぎるため力が込められない。
【０００６】
３．サイズが合わない物を無理やり用いると、締結時にねじ頭部の溝がつぶれ、ドライバが空回りし、ねじを締め続けることもできず、ねじを緩めて抜いて取り換えることもできず、製品の組み立て部材をしっかり締結することもできず、製品の組み立て不良または分解不能等の問題を招く。
【０００７】
４．製品組み立て後の空間制限があると、たとえドライバビットとねじ頭部の溝が合うものでも、ドライバとねじに傾斜角度ができて一直線にならず、ねじを適切なきつさに締められなかったり、ねじ頭部の溝がつぶれたりし、製品使用時にいろいろな問題が生じたり、後の製品分解に影響したりする。
【考案の概要】
【考案が解決しようとする課題】
【０００８】
本考案は、上述の従来技術に対し改良を加え、ねじ自体の構造をドライバとして用いたとき、モーメントアームのトルクが形成される仕組みを利用し、容易にねじを締めることができると同時に、ねじが製品の空間的制限を受けないという利点をもたらし、ねじ頭部の円周上に滑り止め鋸歯部を設け、手指でねじを回転させて締め付けたり緩めたりできる、ドライバ機能を有するねじを提供する。
【課題を解決するための手段】
【０００９】
本考案は上述のような問題を抱えた従来のねじ設計にドライバ機能を追加した。ねじ頭部にはねじ回し溝を設計し、前記ねじ回し溝はねじ頭部の直径と同じ長さの弧状であり、その幅はねじ頭部の厚さよりもやや大きく、ねじ頭部を別のねじのねじ回し溝に嵌入するとぴたりと合わさり、ねじ締結時には、ねじ頭部の円周の鋸歯状の部分を挟持すればモーメントアームが形成されてねじを回し確実にしっかり締め付けることができる。
【考案の効果】
【００１０】
本考案によれば、ねじ自体の構造をドライバとして用いた時、モーメントアームのトルクが形成される仕組みを利用し、容易にねじを締めることができると同時に、ねじが製品の空間的制限を受けないという利点をもたらし、ねじ頭部の円周上に滑り止め鋸歯部を設けることで、手指でねじを回転させて締め付けたり緩めたりできる。
【図面の簡単な説明】
【００１１】
【図１】本考案の好ましい実施例におけるドライバねじの使用方法を示す図。
【図２】本考案の好ましい実施例におけるドライバねじの使用例１を示す図。
【図３】本考案の好ましい実施例におけるドライバねじの使用例２を示す図。
【図４】本考案の好ましい実施例におけるドライバねじの使用例３を示す図。
【図５】本考案の好ましい実施例におけるドライバねじの構造を示す図。
【考案を実施するための形態】
【００１２】
（実施例）
図１、図２、図３は本考案の好ましい実施例における使用方法および使用例を示す図である。主に、ドライバねじ１０は組み立て部材１５、１６、１８、１９の締結に用い、別のドライバねじ１０’はドライバねじ１０を回転させるのに用い、嵌合ナット１４またはナット１７を回して嵌合して組み立て部材１５、１６、１８、１９を締結結合固定する。
ドライバねじ１０、１０’はねじ頭部１１、１１’上にねじ回し溝１３、１３’を設け、これらの溝はねじ頭部１１、１１’の円周と対応する半円形（図４または図５に示す）であり、その溝の幅はねじ頭部１１、１１’の厚さよりやや大きく、この半円形部分は、ドライバねじ１０’をドライバとして用いるとき、ねじ頭部１１’がドライバねじ１０のねじ回し溝１１内により深く嵌め込まれるので、ねじ頭部のマイナス溝が浅すぎたり、力を受ける面積が小さい十字溝が大きな力を受けたときに溝がつぶれたりして回転できないという従来のねじが有する欠点を改善できる。
また、ねじ頭部の溝の幅とねじ頭部の厚さを近い値に設計することで、密接度が高くなり、ねじが滑って溝がつぶれるのを防ぎ、より強い力が受けられるようになり、さらに、ねじを横方向に配置することでモーメントアームが形成されるので、従来ドライバのように同一軸線でねじるよりも力が大きくなり、少ない力で締結効果を高められる。
【００１３】
ねじ頭部１１、１１’の円周上には滑り止め鋸歯部１２、１２’を設計することで、直接ねじ頭部１１、１１’を挟持してドライバねじ１０、１０’を回転させさまざまな組み立て部材１５、１６、１８、１９を締め付けることができる。
【００１４】
図４は本考案の好ましい実施例におけるもう１つの使用例を示す図であり、各種ドア・扉のヒンジに応用される。ヒンジ方式は多種あるので、ここでは１つのヒンジ形式を例に挙げ説明する。ヒンジ２０の貫通孔２１上にはそれぞれドライバねじ１０を貫通させ、別のドライバねじ１０’のねじ頭部１１’をねじ回し溝１３に嵌めこむことによりドライバねじ１０’は使用できる。
【００１５】
図５は本考案の好ましい実施例におけるドライバねじの構造を示す図である。ドライバねじ１０、１０’のねじ部分は本願で図示されたものに限らず、ねじの使用機能が異なり、ねじ３０の尖った前端を直接組み立て部材上に差し込んで締め付けるような異なる設計もあれば、ねじ頭部３１の円周上に滑り止め鋸歯部３２を設け、上面にねじ回し溝３３を設け、手指で滑り止め鋸歯部３２を挟持することもねじ頭部３１を別のねじ頭部３１のねじ回し溝３３に嵌めることできるものもある。
ねじの形式が如何なるものであれ、ねじ頭部上に半円形のねじ回し溝を設けてねじ頭部が嵌められるような設計であれば、本考案のドライバねじの実用新案登録請求の範囲内に含まれる。
【００１６】
本考案は、これまでに公開または出願された先行技術とは類似しない新規性を有し、産業上の利用性を実質的に増進できるという価値を有するので、法に基づき実用新案登録請求をする。本明細書の記載は本考案の好ましい実施例の説明に過ぎず、実用新案登録請求の範囲を限定するものではない。したがって、本考案の原理と技術に基づいた各構成要素による潤色や変更はすべて本考案の実用新案登録請求の範囲内に含まれる。
【符号の説明】
【００１７】
１０、１０’、３０  ドライバねじ  
１１、１１’、３１  ねじ頭部
１２、１２’、３２  滑り止め鋸歯部  
１３、１３’、３３  ねじ回し溝  
１４  嵌合ナット  
１５、１６’、１８’、１９’  組み立て部材
１７  ナット  
２０  ヒンジ  
２１  貫通孔
【図１】
0003190972.tif 000003
【図２】
0003190972.tif 000004
【図３】
0003190972.tif 000005
【図４】
0003190972.tif 000006
【図５】
0003190972.tif 000007